(57)【要約】【課題】小径の煙突に対しても適用可能な煙突内ライニング材除去装置を提供する。【解決手段】ビット１６を備えた回転ヘッド１５を駆動モータにより煙突１の横断面に沿って回転させることにより、煙突内面に取り付けられているライニング材２をビット１６により剥離させて除去する。回転ヘッド１５の中心近傍位置に単一のビット装着軸１４を設け、それにビット１６を遠心力により径方向に変位自在に装着し、回転ヘッド１５にはその中心を挟んでビット１６と対向する位置にバランスウエイト１７を装着する。【選択図】図３
2010164210.tif 000002
【特許請求の範囲】
【請求項１】
既存の煙突内に昇降可能に配置されて、ビットを備えた回転ヘッドを駆動モータにより煙突の横断面に沿って回転させることにより、煙突内面に取り付けられているライニング材を前記ビットにより剥離させて除去する構成の煙突内ライニング材除去装置であって、
前記回転ヘッドの中心近傍位置に単一のビット装着軸を設け、前記ビットを前記回転ヘッドよりも小径とするとともに、該ビットに前記ビット装着軸よりも大径の装着孔を形成して、該装着孔内に前記ビット装着軸を挿通させることによって前記ビットを前記回転ヘッドの径方向に変位自在に装着し、かつ前記回転ヘッドには該回転ヘッドの回転中心を挟んで前記ビットと対向する位置にバランスウエイトを装着してなることを特徴とする煙突内ライニング材除去装置。
【発明の詳細な説明】
【技術分野】
【０００１】
本発明は、既存の煙突の内面に内貼りされているアスベスト等のライニング材を除去するための装置、特に小径の煙突に適用し得る有効適切な煙突内ライニング材除去装置に関する。
【背景技術】
【０００２】
周知のように、鉄筋コンクリート造の大規模な煙突の内面には耐火性および断熱性を有するライニング材が内貼りされるが、過去に建設された煙突においてはライニング材としてアスベスト（石綿）が多用されていた。
近年、アスベストの有害性が明らかになったことに伴い、安全なライニング材に貼り替えるために、あるいは既存の煙突を解体するに際して、煙突内面からアスベストを除去する必要が生じて、そのような作業を安全かつ効率的に行うための手段としてたとえば特許文献１に示されるような除去装置が開発され、今後広く普及する気運にある。
【０００３】
図５〜図６は特許文献１に示されている除去装置の概要を示すものである。これは、既存の煙突１の頂部からその内部に吊り降ろされて使用されるもので、煙突１の内面に取り付けられているライニング材２を除去するための装置本体１０と、その装置本体１０を煙突１内の中心位置に保持するための保持装置２０を主体とするものである。
装置本体１０は、ライニング材２を剥離させて除去するためのビット１１を周縁部に装着した回転ヘッド１２と、それを回転駆動するための駆動モータ１３を搭載したものである。保持装置２０は、装置本体１０を煙突１内の中心位置に保持するとともに駆動モータ１３の回転駆動力の反力を取るためのもので、放射状に展開可能に配置された各段３本ずつ全６本のアーム２２からなる上下２段のアーム群２１と、各段のアーム群２１を開閉操作するための油圧シリンダ２３を備えているものである。
【０００４】
装置本体１０における回転ヘッド１２は図５（ｂ）に示すように平面視において略十字形をなしていて、その中心に駆動モータ１３の回転軸が連結されて煙突１の横断面（通常は水平面）に沿って回転するものであり、四方に延出している各先端部にそれぞれビット１１を装着するためのビット装着軸１４が設けられている。
ビット１１はたとえば図６（ａ）に示すような円形のビット１１Ａや同図（ｂ）に示すような星形のビット１１Ｂが好適に用いられるが、いずれも大径の装着孔１１ａを有する環状をなしており、通常は複数（図示例の場合には６枚）のビット１１を１組として重ねてそれらの装着孔１１ａにビット装着軸１４を挿通させることにより、それらビット１１を回転ヘッド１２の径方向に変位自在な状態で装着するようにしている。
上記従来の除去装置によれば、駆動モータ１３により回転ヘッド１２を高速回転させることにより遠心力によって各ビット１１が自ずと径方向外側に変位し、その状態でビット１１が煙突内面に沿って周回しつつライニング材２を効率的に除去し得るものとなっている。
【先行技術文献】
【特許文献】
【０００５】
【特許文献１】特開平１１−２００６４０号公報
【発明の概要】
【発明が解決しようとする課題】
【０００６】
ところで、上記従来の除去装置は十字型の回転ヘッド１２の四方の外周縁部にそれぞれビット１１を装着する構成であることから、回転ヘッド１２の外形寸法がかなり大きなものとならざるを得ない。そのため、現時点で実用化されているこの種の除去装置はいずれも煙突内径が400mmφ程度以上の大型の煙突を対象とするものであり、それよりも小径の煙突には適用できないものであった。
【０００７】
上記事情に鑑み、本発明は小径の煙突に対しても適用可能な有効適切な煙突内ライニング材除去装置を提供することを目的としている。
【課題を解決するための手段】
【０００８】
本発明の煙突内ライニング材除去装置は、既存の煙突内に昇降可能に配置されて、ビットを備えた回転ヘッドを駆動モータにより煙突の横断面に沿って回転させることにより、煙突内面に取り付けられているライニング材を前記ビットにより剥離させて除去する構成の煙突内ライニング材除去装置であって、前記回転ヘッドの中心近傍位置に単一のビット装着軸を設け、前記ビットを前記回転ヘッドよりも小径とするとともに、該ビットに前記ビット装着軸よりも大径の装着孔を形成して、該装着孔内に前記ビット装着軸を挿通させることによって前記ビットを前記回転ヘッドの径方向に変位自在に装着し、かつ前記回転ヘッドには該回転ヘッドの回転中心を挟んで前記ビットと対向する位置にバランスウエイトを装着してなることを特徴とする。
【発明の効果】
【０００９】
本発明の除去装置は、回転ヘッドの中心近傍位置に単一のビット装着軸のみを備え、そのビット装着軸に単一もしくは１組のビットのみを装着し、回転ヘッドの回転アンバランスを補償するためのバランスウエイトを備えた構成であるので、回転ヘッドの外周縁部に多数のビットを備える場合に比べて回転ヘッドの所要径寸法を充分に小さくすることが可能であり、したがって小径の煙突に対しても適用することが可能である。
【図面の簡単な説明】
【００１０】
【図１】本発明の一実施形態である除去装置の概略構成を示す図である。
【図２】同、回転ヘッドとビットを示す図（ビットが回転ヘッドの中心側にある状態を示す図）である。
【図３】同、回転ヘッドとビットを示す図（ビットが回転ヘッドの外側に変位した状態を示す図）である。
【図４】同、ビットの例を示す図である。
【図５】従来の除去装置の一例を示す図である。
【図６】同、ビットの例を示す図である。
【発明を実施するための形態】
【００１１】
以下、本発明の煙突内ライニング材除去装置の一実施形態を図１〜図４を参照して説明するが、本実施形態の除去装置の基本構成と基本的な機能は図５に示した従来の除去装置と同様であるので、従来の除去装置と共通する要素については同一符号を付して説明を省略する。
本実施形態の除去装置も上述した従来の除去装置と同様に装置本体１０と保持装置２０とを主体とし、装置本体１０は回転ヘッドにビットを装着したものであるが、従来の除去装置は大型の十字形の回転ヘッド１２の四方の外周縁部に４組のビット１１を装着しているのに対し、本実施形態の除去装置においては小形円形の回転ヘッドに１組のビットを装着するように構成したものである。
【００１２】
すなわち、図２に示すように、本実施形態における回転ヘッド１５は小径の円板状とされていて、ビット装着軸１４はその中心近傍位置に１本だけ設けられ、そのビット装着軸１４に３枚のビット１６が重ねられた状態で装着されるようになっている。
本実施形態におけるビット１６は回転ヘッド１５よりも小径のものであって、従来のものと同様にビット装着軸１４よりも大径の装着孔１６ａを有するものであるが、図示例のものでは図４（ａ）に示すような環状のビット１６Ａと、（ｂ）に示すようにそれよりもやや小さい環状のビット１６Ｂと、（ｃ）に示すような１枚の矩形板状のビット１６Ｃとを１組として組み合わせて用いるものとしている。
勿論、ビット１６としては上記で例示したものに限らず、たとえば図６に示した従来のビット１１も含めて様々なタイプのものを使用可能であるし、その組合せも任意であり、必ずしも複数枚を重ねて用いることもなく１枚のビットのみを使用することでも良い。
【００１３】
また、回転ヘッド１５の上面側にはその中心を挟んでビット装着軸１４と対向する位置にバランスウエイト１７が装着されている。
すなわち、従来の除去装置では４組のビット１１を回転ヘッド１２の周囲に均等配置しているので自ずと回転バランスが確保できるが、本実施形態では１組のビット１６を回転ヘッド１５の偏心位置に装着する構成であるので、それだけでは回転バランスが崩れて回転が不安定になったり駆動モータ１３に無理な負荷がかかることが懸念される。
そこで、本実施形態では回転ヘッド１５の中心を挟んでビット１６の装着位置と対向する位置にバランスウエイト１７を設けることにより、そのバランスウエイト１７によって回転ヘッド１５全体の回転バランスが崩れることを回避しており、それにより従来と同様に安定な回転動作とそれによる効率的な除去作業が可能となっている。
なお、バランスウエイト１７としては所定の重量のものを所定位置に固定しておくことでも良いが、必要であれば重量の異なるものを交換可能に装着するようにしたり、バランスウエイト１７の装着位置を変更可能としておいても良い。いずれにしても、バランスウエイト１７の重量や装着位置はビット１６の重量や装着位置に対応させて良好な回転バランスが得られるように適正に調整すれば良い。
【００１４】
本実施形態の除去装置を使用する場合には、図２に示すように各ビット１６を回転ヘッド１５の下面側に配置した状態（回転ヘッド１５の中心側に変位させた状態）とし、その状態で装置全体を煙突１内に挿入し、ライニング材２の除去を行うべき位置において保持装置２０により装置全体を煙突１中心に保持する。
その状態で駆動モータ１３を駆動して回転ヘッド１５を回転させれば、図３に示すように遠心力によってビット１６が径方向外側に変位して煙突１内面に沿って周回し、それによりライニング材２が剥離されて除去される。
【００１５】
以上のように、本実施形態の除去装置は回転ヘッド１５の中心近傍に１組のビット１６のみを装着した構成であるので、従来のように回転ヘッドの四方の外周縁部に４組のビット１１を備える場合に比べて回転ヘッド１５を充分に小さくすることが可能であり、したがって内径寸法がたとえば230mm程度の小径の煙突に対しても適用することが可能である。
換言すれば、本実施形態の除去装置は回転ヘッド１５を小径にすることを目的として、１組あるいは１枚のビット１６のみを中心近傍位置に装着するに留めるともに、それに起因する回転アンバランスを補償するためのバランスウエイト１７を回転ヘッド１５に装着したものであり、そのような構成によりこの種の除去装置を小径の煙突にも適用可能な充分な小形化を実現し得たものである。
【００１６】
なお、本実施形態の除去装置における保持装置２０としては、図５に示した従来の除去装置と同様に上下２段のアーム群２１を２台の油圧シリンダ２３によってそれぞれ開閉操作する構成のものを採用することでも良いが、図１に示しているように上下２段のアーム群２１を１台の両方向シリンダ２５と２つのバネ２６とにより一括して操作する構成の保持装置２０を採用することも好適である。
すなわち、本実施形態の除去装置における保持装置２０は、図１に示すように、各段のアーム群２１の上部にそれぞれバネ２６（押しバネ）が配置され、それらバネ２６の下方への付勢力により各アーム２２の上端をプッシャ２７を介して押し下げることによって各アーム２２を外側に展開させるようにしている。また、それらバネ２６の間には両方向シリンダ２５が配置されていて、そのロッド２５ａの上方への伸張操作によってロッド２５ａの上下両端部をそれぞれ上下のプッシャ２７に係合させ、それによりプッシャ２７をバネ２６の付勢力に抗して上方に押し上げることによって各アーム２２を一斉に内側に引き戻すようにされている。
このような構成の保持装置２０によれば、上下２段のアーム群２１によって装置全体を常に安定に保持し得ることはもとより、従来のように各段のアーム群２１を独立に操作するために２台の油圧シリンダ２３を用いる必要はないし、保持装置２０をコンパクトに構成できるので除去装置全体の小径化を図る上で有利である。
【符号の説明】
【００１７】
１  煙突
２  ライニング材
１０  装置本体
１３  駆動モータ
１４  ビット装着軸
１５  回転ヘッド
１６（１６Ａ、１６Ｂ、１６Ｃ）  ビット
１６ａ  装着孔
１７  バランスウエイト
２０  保持装置
２１  アーム群
２２  アーム
２５  両方向シリンダ
２５ａ  ロッド
２６  バネ
２７  プッシャ
【図１】
2010164210.tif 000003
【図２】
2010164210.tif 000004
【図３】
2010164210.tif 000005
【図４】
2010164210.tif 000006
【図５】
2010164210.tif 000007
【図６】
2010164210.tif 000008